(57)【要約】【課題】滑り止め効果を充分に発揮すると共に踏感を満足させ、且つ段板との接合箇所の密着を完全として塵埃の侵入を阻止すると共に、接合箇所における部材のめくり上がりを防止する建物用滑り止めと、それを装着した段板複合体を提供すること。【解決手段】水平片１から前部垂下片２と短い後部垂下片３とが曲成された硬質材料製の基体４と、基体における前部垂下片の下端縁から上縁迄を被覆する前側被覆片５の上縁に水平片上面を被覆する厚い上側被覆片６が前縁が連続し且つ基体と一体成形される軟質材料製の被覆体７とを具備し、後部垂下片前後壁には爪条８が突設されると共に、上側被覆片の後端縁上側には後方に突設する爪条の頂部より更に後方に突出する頂部を有する接合突縁９が突設されている建物用滑り止め。【選択図】          図３
2004204461.tif 000002
【特許請求の範囲】
【請求項１】
水平片前端から前部垂下片が曲成されると共に該水平片後端から該前部垂下片より短い後部垂下片が曲成された硬質材料製の基体と、該基体における該前部垂下片の下端縁から上縁迄の前面を被覆する前側被覆片の上縁に該水平片の前縁から後端迄の上面を被覆する厚い上側被覆片の前縁が連続し且つ該基体と一体成形される軟質材料製の被覆体とを具備する建物用滑り止めにおいて、該後部垂下片前後壁には爪条が突設されると共に、厚い該上側被覆片の後端縁上側には後方に突設する該爪条の頂部より更に後方に突出する頂部を有する接合突縁が突設されていることを特徴とする建物用滑り止め。
【請求項２】
前記基体には、長さ方向に沿う突条が膨出されていることを特徴とする請求項１記載の建物用滑り止め。
【請求項３】
前記上側被覆片には、長さ方向に沿う緩衝空隙が形成されることを特徴とする請求項１または請求項２項記載の建物用滑り止め。
【請求項４】
前記請求項１乃至３記載のいずれか１項記載の建物用滑り止めを段板に装着した段板複合体において、該段板端部には該建物用滑り止めの上面と該段板の上面とがほぼ同高となる状態で該建物用滑り止めが収容装着される深さおよび奥行を有すると共に該建物用滑り止めの前記爪条が挿入される係止溝を含む収容切欠が設けられ、また該段板の該収容切欠に該建物用滑り止めが装着されたときに、該段板は前記前部垂下片の下端から突出しない厚さとされると共に、前記上側被覆片の前記接合突縁は該収容切欠の後壁に圧接していることを特徴とする段板複合体。
【発明の詳細な説明】
【０００１】
【発明の属する技術分野】
本発明は、建物用滑り止め、特に個人住宅等に使用される建物用滑り止めと建物用滑り止めを装着した段板複合体に関する。
【０００２】
【従来の技術】
最近では個人住宅の階段でも滑り止めを使用することが多くなり、特に階段の段板と接合して使用する滑り止めとして、水平片前端から前部垂下片が曲成されると共に該水平片後端から該前部垂下片より短い後部垂下片が曲成された硬質材料製の基体と、該基体における該前部垂下片の下端縁から該水平片後端に至る外面をシート状化粧材で被覆し、該後部垂下片の上部に後方に向けて弾性材を取り付けた滑り止めは従来公知である（例えば、特許文献１参照。）。このような従来例では、表面が薄い化粧シートで形成されているために、必要とする滑り止め効果を得ることが困難であると共に、滑り止めとしての踏感も満足が得難い。また別体に取り付けられた弾性材は、段板と滑り止めとの間に異物が挟まった状態となり、段板と滑り止めとの密着状態も充分とは言えず、化粧材のめくれ上がりや塵埃の侵入を防止する手段としては不満足を否めない。
【０００３】
【特許文献１】
特開２００２−２７６１１２号公報
【０００４】
【発明が解決しようとする課題】
本発明が解決しようとする課題は、前記従来品の欠点を除去するものであり、個人住宅等で段板の先端に取り付けて使用する滑り止めとして、滑り止め効果を充分に発揮すると共に踏感を満足させ、且つ段板との接合箇所の密着を完全として塵埃の侵入を完全に阻止すると共に、該接合箇所における部材のめくり上がりを防止する建物用滑り止めを提供すると共に、かかる建物用滑り止めを装着した段板複合体を提供することにある。
【０００５】
【課題を解決するための手段】
前記課題を解決するために、本発明の建物用滑り止めは、水平片前端から前部垂下片が曲成されると共に該水平片後端から該前部垂下片より短い後部垂下片が曲成された硬質材料製の基体と、該基体における該前部垂下片の下端縁から上縁迄の前面を被覆する前側被覆片の上縁に該水平片の前縁から後端迄の上面を被覆する厚い上側被覆片の前縁が連続し且つ該基体と一体成形される軟質材料製の被覆体とを具備する建物用滑り止めにおいて、該後部垂下片前後壁には爪条が突設されると共に、厚い該上側被覆片の後端縁上側には後方に突設する該爪条の頂部より更に後方に突出する頂部を有する接合突縁が突設されていることを特徴とし、段板との接合時に、該上側被覆片の該接合突縁は該段板の外収容切欠の後壁に圧接して隙間を空けないようにするものである。
【０００６】
【発明の実施の形態】
本発明にかかる建物用滑り止めは、水平片前端から前部垂下片が曲成されると共に該水平片後端から該前部垂下片より短い後部垂下片が曲成された硬質材料製の基体と、該基体における該前部垂下片の下端縁から上縁迄の前面を被覆する前側被覆片の上縁に該水平片の前縁から後端迄の上面を被覆する厚い上側被覆片の前縁が連続し且つ該基体と一体成形される軟質材料製の被覆体とを具備する建物用滑り止めにおいて、該後部垂下片前後壁には爪条が突設されると共に、厚い該上側被覆片の後端縁上側には後方に突設する該爪条の頂部より更に後方に突出する頂部を有する接合突縁が突設されていることを主な特徴とする。
【０００７】
さらに、前記基体の剛性を増加させるために、前記基体には、長さ方向に沿う突条が膨出されていることを特徴とする。
【０００８】
また、踏感をより良好にするために、前記上側被覆片には、長さ方向に沿う緩衝空隙が形成されることを特徴とする。
【０００９】
さらに、前記建物用滑り止めを段板に装着した段板複合体において、該段板端部には該建物用滑り止めの上面と該段板の上面とがほぼ同高となる状態で該建物用滑り止めが収容装着される深さおよび奥行を有すると共に該建物用滑り止めの前記爪条が挿入される係止溝を含む収容切欠が設けられ、また該段板の該収容切欠に該建物用滑り止めが装着されたときに、該段板は前記前部垂下片の下端から突出しない厚さとされると共に、前記上側被覆片の前記接合突縁は該収容切欠の後壁に圧接していることを特徴とする。
【００１０】
【実施例】
本発明の実施例について添付図面を参照して説明する。
図１において、符号Ｇは階段の側桁であり、側桁Ｇに横方向および縦方向に段状に連続して切り込んだ凹溝のうち、横向きの各凹溝に各段板Ｄの両側端部を挿入固定し、また縦向きの各凹溝に各蹴込み板Ｋを挿入固定することによって階段が構成される。本発明の要点は、この段板Ｄの前端に取り付けられる建物用滑り止めＮにある。建物用滑り止めＮは、図３に断面が示されるように、水平片１前端から前部垂下片２が曲成されると共に水平片１後端から前部垂下片２より短い後部垂下片３が曲成された金属又は硬質合成樹脂等の硬質材料製の基体４と、基体４における前部垂下片２の下端縁から上縁迄の前面を被覆する前側被覆片５の上縁に水平片１の前縁から後端迄の上面を被覆する厚い上側被覆片６の前縁が連続し且つ基体４と一体成形される軟質合成樹脂等の軟質材料製の被覆体７とを具備する。そして後部垂下片３の前後壁には爪条８、必要に応じて逆目爪条が突設されると共に、厚い上側被覆片６の後端縁上側には後方に突設する爪条８の頂部より更に後方に突出する頂部を有した通常断面略三角形状の接合突縁９が突設されている。上側被覆片６上面には、滑り止め凹凸条１０が形成され、また基体４には長さ方向に沿う突条１１が数条膨出状に形成されている。さらに上側被覆片６には、長さ方向に沿う緩衝空隙１２が形成される。また基体４の裏面には感圧接着層を設けることができる。
【００１１】
図２には、建物用滑り止めＮを段板Ｄに取り付けた状態が示されている。段板Ｄの滑り止め取付部となる段板端部には、予め建物用滑り止めＮの上面と段板Ｄの上面がほぼ等しくなる状態で建物用滑り止めを収容装着する深さおよび奥行を有すると共に爪条８が挿入される係止溝１３を含む収容切欠１４が切欠かれている。建物用滑り止めＮを段板Ｄに固着するには、基体４の裏面に感圧接着層を設けておくか、又は接着剤を塗布した上で、建物用滑り止めＮの後部垂下片３における爪条８を段板Ｄの係止溝１３に圧入すると共に、基体４の裏面の接着層を収容切欠１４の上面に圧着した状態で固着作業を完了する。上側被覆片６の後方に突出する接合突縁９の頂部は爪条８の頂部より更に後方に突出しているから、爪条８を係止溝１３に圧入した場合に、接合突縁９の頂部は段板Ｄにおける収容切欠１４の後壁に圧接され、接合突縁９は容易に弾性変形により収縮した状態で隙間を閉塞し、段板Ｄと建物用滑り止めＮとは、一筋の接続線の外観を示す状態で連続した表面を形成することになり、部分のめくれ上がりが防止されると共に隙間を生じて塵埃が侵入することがない。
【００１２】
段板Ｄに固着された建物用滑り止めＮは、硬質材料製の基体４上に、基体４と一体成形される軟質材料製の被覆体７の上側被覆片６が存在するから、充分な滑り止め効果と、滑り止め部の心地よい踏感を得ることができる。また上側被覆片６上面に滑り止め凹凸条１０を形成することにより、更に滑り止め効果を向上させることができる。さらに基体４に長さ方向に沿う突条１１を膨出させることにより、基体４の剛性を増加させることができる。また上側被覆片６に長さ方向に沿う緩衝空隙１２を形成することにより踏感をより良好にすることができる。段板Ｄに建物用滑り止めＮを予め装着した段板複合体も、階段における既製部品として有用であり、段板複合体には予め所定寸法とされた単板、合板、パーティクルボード等木質系材料の段板Ｄが多用される。段板複合体は、建物用滑り止めＮを段板Ｄに取り付けた状態を示す図２において、蹴込み板Ｋを除いた縦断面を有し、前記したように段板Ｄに装着された建物用滑り止めＮは、上面が段板Ｄの上面とほぼ同高とされる。また段板Ｄは建物用滑り止めＮにおける前部垂下片２の下端から突出しない厚さとされ、前方から段板Ｄがはみ出して見えないようにする。そして上側被覆片６の接合突縁９が収容切欠１４の後壁に圧接していることも前述のとおりである。なお符号１５は段板Ｄ下面に予め凹設した蹴込み板用凹溝である。段板Ｄに装着された建物用滑り止めＮの両端部は、図１に示されるように、階段の側桁Ｇにおける横向きの各凹溝に挿入固定されるから、建物用滑り止めＮの剥離脱落はさらに防止される。
【００１３】
【発明の効果】
本発明は、次のような効果を奏する。
Ａ．硬質材料製の基体上に、基体と一体成形される軟質材料製の被覆体の上側被覆片が存在するから、充分な滑り止め効果と、滑り止め部の心地よい踏感を得ることができる。
Ｂ．厚い軟質材料製の上側被覆片の後端縁上側には後方に突設する爪条の頂部より更に後方に突出する頂部を有した断面略三角形状の接合突縁が突設されているので、爪条を段板の係止溝に圧入した場合に、接合突縁の頂部は段板における収容切欠の後壁に圧接され、接合突縁は容易に弾性変形により収縮した状態で隙間を閉塞し、段板と滑り止めとは、一筋の接続線の外観を示す状態で連続した表面を形成することになり、部分のめくれ上がりが防止されると共に隙間を生じて塵埃が侵入することがない。
Ｃ．基体に、長さ方向に沿う突条を膨出させれば、基体の剛性を増加させることができる。
Ｄ．上側被覆片に、長さ方向に沿う緩衝空隙を形成すれば、踏感をより良好にする。
Ｅ．前記した建物用滑り止めを段板に装着した段板複合体は、建物用滑り止めの上面と段板の上面がほぼ同高とされるので、歩行時に躓くようなようなことがなく、また段板は前部垂下片の下端から突出しない厚さとされるので前方から段板がはみ出して見えることがない。
【図面の簡単な説明】
【図１】建物用滑り止めを装備した段板を備えた階段の斜視図である。
【図２】建物用滑り止めを装着した段板の縦断面図である。
【図３】建物用滑り止めの断面図である。
【符号の説明】
１  水平片
２  前部垂下片
３  後部垂下片
４  基体
５  前側被覆片
６  上側被覆片
７  被覆体
８  爪条
９  接合突縁
１０  滑り止め凹凸条
１１  突条
１２  緩衝空隙
１３  係止溝
１４  収容切欠
Ｄ  段板
Ｎ  建物用滑り止め
【図１】
2004204461.tif 000003
【図２】
2004204461.tif 000004
【図３】
2004204461.tif 000005